(57)【要約】      （修正有）【課題】ブロックを積む地盤に強固な基礎が無い場合であって、ブロック同士を機械的に強固に連結していない場合であっても、ブロックが地盤に噛み込み地盤と一体化した挙動をし、かつ隣接するブロック同士が互いに噛合いブロック同士が互いに拘束し合うことによって、地盤と一体化した強固な全体構造物を低コストで実現することができる土木構造物を提供する。【解決手段】中空円柱状の形状を有し、外周面には半径方向に突出した複数の突起部が設けられた中空円柱状ブロック１０を使用し、この中空円柱状ブロック１０の軸心を水平方向に向けて複数隣接して配置し、隣接する中空円柱状ブロック１０の突起部が互いに噛合うように配置されている構成の土木構造物とした。【選択図】図４
2018115474.tif 000002
【特許請求の範囲】
【請求項１】
中空円柱状の形状を有し、外周面には半径方向に突出した複数の突起部が設けられた中空円柱状ブロックを使用し、
当該中空円柱状ブロックの軸心を水平方向に向けて複数隣接して配置し、
隣接する中空円柱状ブロックの突起部が互いに噛合うように配置されていることを特徴とする土木構造物。
【請求項２】
請求項１に記載の土木構造物において、
前記中空円柱状ブロックの一端面側には底面壁が設けられていることを特徴とする土木構造物。
【請求項３】
請求項２に記載の土木構造物において、
前記底面壁には、複数の貫通孔が設けられていることを特徴とする土木構造物。
【請求項４】
請求項１乃至３のいずれかに記載の土木構造物において、
前記中空円柱状ブロックを水平方向に複数隣接して配置したブロック列を１段だけで構成した擁壁構造、あるいは当該ブロック列を千鳥状に高さ方向に複数段重ねて構成した擁壁構造であることを特徴とする土木構造物。
【請求項５】
請求項１乃至３のいずれかに記載の土木構造物において、
前記中空円柱状ブロックを水平方向に複数隣接して配置したブロック列を１段だけで構成した護岸壁構造、あるいは当該ブロック列を千鳥状に高さ方向に複数段重ねて構成した護岸壁構造であることを特徴とする土木構造物。
【請求項６】
請求項１乃至３のいずれかに記載の土木構造物において、
前記中空円柱状ブロックを水平方向に複数隣接して配置したブロック列を１段だけで構成した漁礁構造物、あるいは当該ブロック列を千鳥状に高さ方向に複数段重ねて構成した漁礁構造物であることを特徴とする土木構造物。
【請求項７】
請求項１乃至３のいずれかに記載の土木構造物において、
前記中空円柱状ブロックを水平方向に複数隣接して配置したブロック列を１段だけで構成した地下雨水貯水構造物、あるいは当該ブロック列を千鳥状に高さ方向に複数段重ねて構成した地下雨水貯水構造物であることを特徴とする土木構造物。
【請求項８】
請求項１乃至３のいずれかに記載の土木構造物において、
前記中空円柱状ブロックを水平方向に複数隣接して配置したブロック列を１段だけで構成した軟弱地盤補強構造物、あるいは当該ブロック列を千鳥状に高さ方向に複数段重ねて構成した軟弱地盤補強構造物であるであることを特徴とする土木構造物。
【請求項９】
請求項１乃至３のいずれかに記載の土木構造物において、
前記中空円柱状ブロックを水平方向に複数隣接して配置したブロック列を１段だけで構成した遊具構造物、あるいは当該ブロック列を千鳥状に高さ方向に複数段重ねて構成した遊具構造物であることを特徴とする土木構造物。
【発明の詳細な説明】
【技術分野】
【０００１】
本発明は、複数のブロックを使用して構築する土木構造物に関し、更に詳細には、擁壁構造、護岸壁構造、漁礁構造物、地下雨水貯水構造物、軟弱地盤補強構造物、遊具構造物等に有用な土木構造物に関するものである。
【背景技術】
【０００２】
従来、種々のタイプのブロックを使用して土木構造物が構築されてきているが、経年変化により、土木構造物が不等沈下を起こし土木構造物全体が大きく傾いたり、複数のブロック間に大きな隙間が生じてブロックの一部が脱落してしまい、土木構造物が機能を果たすことができなくなるという問題が頻繁に発生していた。
【０００３】
このような問題を解決するために、ブロックを積む地盤に強固な基礎を築いたり、ブロックを積む際に、ブロック同士を機械的に強固に連結したりしていた。  しかし、このように強固な基礎を築いたり、ブロック同士を機械的に強固に連結したりすることは、土木構造物を構築するための工期が長くなり、かつ工程も複雑になることからコスト高になるという問題があった。
【発明の概要】
【発明が解決しようとする課題】
【０００４】
本発明は、上述したような技術的背景に鑑みなされたものであり、ブロックを積む地盤に強固な基礎が無い場合であって、ブロック同士を機械的に強固に連結していない場合であっても、ブロックが地盤に噛み込みブロックと地盤が一体化した挙動をし、かつ隣接するブロック同士が互いに噛合いブロック同士が互いに拘束し合うことによって、地盤と一体化した強固な全体構造物を低コストで実現することができる土木構造物を提供することを本発明の課題とするものである。
【課題を解決するための手段】
【０００５】
上記課題を解決するために、第１の観点に係る発明では、
中空円柱状の形状を有し、外周面には半径方向に突出した複数の突起部が設けられた中空円柱状ブロックを使用し、
この中空円柱状ブロックの軸心を水平方向に向けて複数隣接して配置し、
隣接する中空円柱状ブロックの突起部が互いに噛合うように配置されている構成の土木構造物とした。
【０００６】
また、第２の観点に係る発明では、第１の観点に係る発明の土木構造物において、中空円柱状ブロックの一端面側には底面壁が設けられている構成の土木構造物とした。
【０００７】
また、第３の観点に係る発明では、第２の観点に係る発明の土木構造物において、底面壁には、複数の貫通孔が設けられている構成の土木構造物とした。
【０００８】
また、第４の観点に係る発明では、第１乃至第３の観点に係る発明のいずれかの土木構造物において、中空円柱状ブロックを水平方向に複数隣接して配置したブロック列を１段だけで構成した擁壁構造、あるいはブロック列を千鳥状に高さ方向に複数段重ねて構成した擁壁構造である構成の土木構造物とした。
【０００９】
また、第５の観点に係る発明では、第１乃至第３の観点に係る発明のいずれかの土木構造物において、中空円柱状ブロックを水平方向に複数隣接して配置したブロック列を１段だけで構成した護岸壁構造、あるいはブロック列を千鳥状に高さ方向に複数段重ねて構成した護岸壁構造である構成の土木構造物とした。
【００１０】
また、第６の観点に係る発明では、第１乃至第３の観点に係る発明のいずれかの土木構造物において、中空円柱状ブロックを水平方向に複数隣接して配置したブロック列を１段だけで構成した漁礁構造物、あるいはブロック列を千鳥状に高さ方向に複数段重ねて構成した漁礁構造物である構成の土木構造物とした。
【００１１】
また、第７の観点に係る発明では、第１乃至第３の観点に係る発明のいずれかの土木構造物において、中空円柱状ブロックを水平方向に複数隣接して配置したブロック列を１段だけで構成した地下雨水貯水構造物、あるいはブロック列を千鳥状に高さ方向に複数段重ねて構成した地下雨水貯水構造物である構成の土木構造物とした。
【００１２】
また、第８の観点に係る発明では、第１乃至第３の観点に係る発明のいずれかの土木構造物において、中空円柱状ブロックを水平方向に複数隣接して配置したブロック列を１段だけで構成した軟弱地盤補強構造物、あるいはブロック列を千鳥状に高さ方向に複数段重ねて構成した軟弱地盤補強構造物である構成の土木構造物とした。
【００１３】
また、第９の観点に係る発明では、第１乃至第３の観点に係る発明のいずれかの土木構造物において、中空円柱状ブロックを水平方向に複数隣接して配置したブロック列を１段だけで構成した遊具構造物、あるいはブロック列を千鳥状に高さ方向に複数段重ねて構成した遊具構造物である構成の土木構造物とした。
【発明の効果】
【００１４】
本発明によれば、外周面に半径方向に突出した複数の突起部を設けた中空円柱状ブロックを使用し、この中空円柱状ブロックの軸心を水平方向に向けて複数隣接して配置し、更に隣接する中空円柱状ブロックの突起部が互いに噛合うように配置する構成としているため、中空円柱状ブロックを積む地盤に強固な基礎が無い場合であって、中空円柱状ブロック同士を機械的に強固に連結していない場合であっても、中空円柱状ブロックが地盤に噛み込み中空円柱状ブロックと地盤が一体化した挙動をし、かつ隣接する中空円柱状ブロック同士が互いに噛合い中空円柱状ブロック同士が互いに拘束し合うことによって、地盤と一体化した強固な擁壁構造、護岸壁構造、漁礁構造物、地下雨水貯水構造物、軟弱地盤補強構造物、公園用遊具構造物等の土木構造物を構築することが可能となった。
【００１５】
また、本発明における護岸壁構造では、上記効果に加え、中空円柱状ブロックの中空部分が水流の勢いを緩和したり、あるいは波の勢いを打ち消す消波機能を有していることから、河川や海岸での護岸壁として優れた機能を発揮することができる。
【００１６】
更に、本発明における地下雨水貯水構造物では、上記効果に加え、中空円柱状ブロックの内部中空部分が雨水の貯水空間として機能するため、大量の雨水を貯水することが可能となる。
【図面の簡単な説明】
【００１７】
【図１】図１は、本発明に使用される中空円柱状ブロックであって底面壁の無い中空円柱状ブロックを示したものである。
【図２】図２は、本発明に使用される中空円柱状ブロックであって底面壁の有る中空円柱状ブロックを示したものである。
【図３】図３は、図２に示す中空円柱状ブロックであって、底面壁に複数の貫通孔が設けられた中空円柱状ブロックを示したものである。
【図４】図４は、本発明に係る土木構造物である擁壁構造の一例を示したものである。
【図５】図５は、本発明に係る土木構造物である護岸壁構造の一例を示したものである。
【図６】図６は、本発明に係る土木構造物である漁礁構造物の一例を示したものである。
【図７】図７は、本発明に係る土木構造物である地下雨水貯水構造物の一例を示したものである。
【図８】図８は、本発明に係る土木構造物である軟弱地盤補強構造物の一例を示したものである。
【発明を実施するための形態】
【００１８】
以下、図面を用いて本発明の実施形態について説明する。  図１〜図３は、本発明に係る中空円柱状ブロック１０の実施例を示したものである。  図１は、底面壁１１の無い中空円柱状ブロック１０であり、図２は、底面壁１１の有る中空円柱状ブロック１０であり、図３は、底面壁１１を有すると共に底面壁１１に複数の貫通孔１２を設けた中空円柱状ブロック１０を示したものである。
【００１９】
図１〜図３に示す中空円柱状ブロック１０は、中空円柱状の形状を有し、外周面には半径方向に突出した、断面が略半円弧状の突起部１３が複数個設けられている。  中空円柱状ブロック１０の直径（外周面に設けられた突起部１３の平均直径）、長さ、肉厚等の寸法は特に限定されるものではない。  また、本発明においては、図２および図３に示すように、底面壁１１の有無にかかわらず中空円柱状ブロック１０と称することにする。
【００２０】
なお、本明細書において中空円柱状の形状とは、断面外周（外周面に設けられた突起部１３の平均直径に相当する部分をいう）および断面内周が円に限定されるものではなく、楕円、５角形以上の多角形を含む概念であり、更に、外周面がテーパー角を有する円錐台や角錐台をも含む概念である。
【００２１】
また、図１〜図３に示す中空円柱状ブロック１０では、外周面には半径方向に突出した断面が略半円弧状の突起部１３が複数個設けられているとして説明したが、これに限定されるものではない。
突起部１３の断面形状としては矩形状、台形状、鋸歯状、三角形状等の互いに噛合うことが可能な形状とすることができる。
【００２２】
中空円柱状ブロック１０は、コンクリートを使用して形成することができる。  使用するコンクリートとしては、透水性コンクリートおよび非透水性コンクリートのいずれであってもよい。
また、中空円柱状ブロック１０はコンクリート製に限定されるものではなく、防錆処理をした鉄等の金属製としたり、耐腐食性を備えた樹脂材料製、あるいは樹脂系複合材料製としても良い。
【００２３】
底面壁１１の有る中空円柱状ブロック１０は、底面壁１１を土留め用の壁面として利用することができるし、底面壁１１に設けた複数の貫通孔１２は、擁壁構造の排水孔として利用することができる。
【００２４】
次に、土木構造物の一種である擁壁構造２０について説明する。  図４は、擁壁構造２０の一例を示したものである。  この擁壁構造２０では、上述した中空円柱状ブロック１０を、切土あるいは盛土２した斜面前面の地盤１上に隣接させながら複数個配置して第１のブロック列２１を形成し、更に、第１のブロック列２１の上に第２のブロック列２１を形成している。
なお、本明細書においてブロック列とは、１列に並んだブロック列の他、中空円柱状ブロック１０の軸心方向に複数列並べたブロック列をも含むものとして定義される。
【００２５】
このとき、中空円柱状ブロック１０の軸心は、図４に示すように水平方向に向けて配置され、隣接する中空円柱状ブロック１０の突起部１３が互いに噛合うように配置される。  また、図４に示すように、第１のブロック列２１に対して第２のブロック列２１は、千鳥状に配置することにより中空円柱状ブロック１０が安定的に配置されるようにしている。
【００２６】
第２のブロック列２１の上には、更に複数のブロック列２１を形成するようにしても良い。  擁壁構造２０としては、ブロック列２１を１段だけで構成するようにしても良いし、ブロック列２１を高さ方向に複数段重ねて構成するようにしても良い。
【００２７】
中空円柱状ブロック１０のブロック列２１を複数段重ねて構成した擁壁構造においては、上段側のブロック列２１を下段側のブロック列２１より切土又は盛土２側に後退させながら積み上げていくようにしても良い（図４参照）。  また、中空円柱状ブロック１０の間の隙間、および中空円柱状ブロック１０と切土あるいは盛土２の間の空間には裏込材３を充填するようにしても良い。
【００２８】
なお、中空円柱状ブロック１０として、図２に示す底面壁１１の有る中空円柱状ブロック１０や、図３に示す底面壁１１を有すると共に底面壁１１に複数の貫通孔１２を設けた中空円柱状ブロック１０を用いて擁壁構造２０を形成するようにしても良い。  このような中空円柱状ブロック１０を使用することにより、底面壁１１を土留め用の壁面として利用することができるし、底面壁１１に設けた複数の貫通孔１２は、擁壁構造２０の排水孔として利用することができる。
【００２９】
以上説明したような擁壁構造２０とすることにより、中空円柱状ブロック１０を積む地盤に強固な基礎地盤１が無くとも、また中空円柱状ブロック１０同士を機械的に強固に連結していないような場合であっても、中空円柱状ブロックが地盤１に噛み込み中空円柱状ブロック１０と地盤１が一体化した挙動をし、かつ隣接する中空円柱状ブロック１０同士が互いに噛合い中空円柱状ブロック１０同士が互いに拘束し合うことによって、地盤１と一体化した強固な擁壁構造２０を構築することができる。
【００３０】
次に、土木構造物の一種である護岸壁構造３０について説明する。  図５は、護岸壁構造３０の一例を示したものである。  護岸壁構造３０の構築方法は上述した擁壁構造２０の構築方法と基本的には同じであるが、中空円柱状ブロック１０の間の隙間、および中空円柱状ブロック１０の背面側には裏込材３の代わりにコンクリートを充填するようにしても良い。
【００３１】
このような構成の護岸壁構造３０とすることにより、擁壁構造２０において説明した効果と同様な効果を得ることができることに加え、中空円柱状ブロック１０の中空部分が河川の水流の勢いを緩和させたり、あるいは海岸における波の勢いを打ち消す消波機能を果たすことができるため、河川や海岸での護岸壁構造３０として優れた機能を発揮することが可能となる。
【００３２】
次に、土木構造物の一種である漁礁構造物４０について説明する。  図６は、漁礁構造物４０の一例を示したものである。  漁礁構造物４０を構築するためには、中空円柱状ブロック１０を、海底の地盤１上に隣接させながら複数個配置したブロック列４１を形成する。このとき、中空円柱状ブロック１０の軸心は、図６に示すように水平方向に向けて配置され、隣接する中空円柱状ブロック１０の突起部１３が互いに噛合うように配置される。
【００３３】
そして、ブロック列４１は、必要に応じて中空円柱状ブロック１０の軸心方向に複数列配置すると共に、高さ方向にもブロック列４１を複数段積み上げるようにしてもよい（図６参照）。  このとき、下段側のブロック列７１と上段側のブロック列７１とは互いに千鳥状に配列されるようにして設置される。
【００３４】
以上説明したような漁礁構造物４０とすることにより、擁壁構造２０において説明した効果と同様な効果を得ることができることに加え、中空円柱状ブロック１０の中空部分および中空円柱状ブロック１０の間の間隙が、漁礁としての機能を発揮することになる。
【００３５】
次に、土木構造物の一種である地下雨水貯水構造物５０について説明する。  図７は、地下雨水貯水構造物５０の一例を示したものである。  地下雨水貯水構造物５０を構築するためには、地下雨水貯水構造物５０を構築する領域、たとえば、公園、駐車場、運動場などの地上施設の建設予定地の土地を予め掘り込み、その掘り込んだ後の地盤１上に、中空円柱状ブロック１０を隣接させながら複数個配置したブロック列５１を形成する。このとき、中空円柱状ブロック１０の軸心は、図７に示すように水平方向に向けて配置され、隣接する中空円柱状ブロック１０の突起部１３が互いに噛合うように配置される。
【００３６】
そして、ブロック列５１は、必要に応じて中空円柱状ブロック１０の軸心方向に複数列配置すると共に、図７に示すように高さ方向にもブロック列５１を複数段積み上げるようにしてもよい。  このとき、下段側のブロック列５１と上段側のブロック列５１とは互いに千鳥状に配列されるようにして設置される。
【００３７】
掘り込んだ地盤１上に中空円柱状ブロック１０を配置した後、中空円柱状ブロック１０を埋戻しを行ない、覆土したり、透水性舗装を行なう等の処置をして所定の地上施設を構築することができる。
【００３８】
以上説明したような地下雨水貯水構造物５０とすることにより、擁壁構造２０において説明した効果と同様な効果を得ることができることに加え、中空円柱状ブロック１０の中空部分が雨水の貯水空間としての機能を発揮することになる。
【００３９】
次に、土木構造物の一種である軟弱地盤補強構造物６０について説明する。  図８は、軟弱地盤補強構造物６０の一例を示したものである。  軟弱地盤補強構造物６０を構築するためには、補強を要する軟弱な地盤の土地を予め掘り込み、その掘り込んだ後の地盤１上に、中空円柱状ブロック１０を隣接させながら複数個配置したブロック列６１を形成する。このとき、中空円柱状ブロック１０の軸心は、図８に示すように水平方向に向けて配置され、隣接する中空円柱状ブロック１０の突起部１３が互いに噛合うように配置される。
【００４０】
そして、ブロック列６１は、必要に応じて中空円柱状ブロック１０の軸心方向に複数列配置すると共に、高さ方向にもブロック列６１を複数段積み上げるようにしてもよい。  このとき、下段側のブロック列６１と上段側のブロック列６１とは互いに千鳥状に配列されるようにして設置される。
【００４１】
掘り込んだ地盤１上に中空円柱状ブロック１０を配置した後、中空円柱状ブロック１０を埋戻しを行ない、覆土することにより軟弱地盤補強構造物６０の工事が完了し、覆土した軟弱地盤補強構造物６０の上に所定の構築物を設置することができる。
なお、中空円柱状ブロック１０を配置する底面および側面には、必要に応じて遮水シート等を配置するようにしても良い。
【００４２】
以上説明したような軟弱地盤補強構造物６０とすることにより、擁壁構造２０において説明した効果と同様な効果を得ることができる。
【００４３】
また、上述したような中空円柱状ブロック１０を利用して、公園や遊園地に遊具構造物７０（図示せず）を構築することもできる。  例えば、地盤１上に、中空円柱状ブロック１０を隣接させながら複数個配置したブロック列７１を形成し、中空円柱状ブロック１０の軸心は水平方向に向けて配置すると共に、隣接する中空円柱状ブロック１０の突起部１３が互いに噛合うように配置する。
【００４４】
そして、中空円柱状ブロック１０の中空部分が中空円柱状ブロック１０の軸心に沿って互いに連結するように複数のブロック列７１を並列配置するようにしても良い。  更に、同様な方法で複数のブロック列７１を高さ方向に積み上げるようにしても良い。  このとき、下段側のブロック列７１と上段側のブロック列７１とは互いに千鳥状に配列されるようにして設置される。
【００４５】
以上説明したような公園用遊具構造物７０とすることにより、擁壁構造２０において説明した効果と同様な効果を得ることができることに加え、中空円柱状ブロック１０の中空部分が子供が通行できるトンネルとしての機能を発揮することができ、連通した中空部分の経路を工夫することにより、立体的な迷路を構成することも可能となる。
【符号の説明】
【００４６】
１            地盤
２            切土あるいは盛土
３            裏込材
１０          中空円柱状ブロック
１１          底面壁
１２          貫通孔
１３          突起部
２０          擁壁構造
２１          ブロック列
３０          護岸壁構造
３１          ブロック列
４０          漁礁構造物
４１          ブロック列
５０          地下雨水貯水構造物
５１          ブロック列
６０          軟弱地盤補強構造物
６１          ブロック列
７０          公園用遊具構造物
７１          ブロック列
【図１】
2018115474.tif 000003
【図２】
2018115474.tif 000004
【図３】
2018115474.tif 000005
【図４】
2018115474.tif 000006
【図５】
2018115474.tif 000007
【図６】
2018115474.tif 000008
【図７】
2018115474.tif 000009
【図８】
2018115474.tif 000010